(57)【要約】      （修正有）【課題】背もたれと座面から遠赤外線を発生する椅子において、発熱部の交換を可能にして衛生的にする。【解決手段】背もたれ１と座面２に発熱体を備えた椅子において、背もたれ１と座面２に、同一サイズの２枚の温熱パネル５，６をそれぞれ着脱自在にかつ互いに交換自在に装着する。ここで、背もたれ１への温熱パネル５の取り付け構造は背もたれ１の上下に対向して形成した凹溝内に温熱パネル５を倹飩式に嵌め込み、座面２への温熱パネル６の取り付け構造は座面２に形成した凹部へ温熱パネル６を嵌め込むことが好ましい。また、温熱パネル５，６の少なくとも一方は表面をブラックシリカ石板として電熱ヒータを内蔵する。さらに、他の温熱パネルとして、表面を畳表、レザー、布、檜板等の木板のいずれかにして電熱ヒータを内蔵することも可能である。【選択図】図１
0003138879.tif 000002
【実用新案登録請求の範囲】
【請求項１】
背もたれと座面に発熱体を備えた椅子において、
背もたれと座面に、同一サイズの２枚の温熱パネルをそれぞれ着脱自在にかつ互いに交換自在に装着したことを特徴とする椅子。
【請求項２】
請求項１に記載の椅子において、
背もたれへの温熱パネルの取り付け構造は背もたれ部の上下に対向して形成した凹溝内に温熱パネルを倹飩式に嵌め込み、座面への温熱パネルの取り付け構造は座面に形成した凹部へ温熱パネルを着脱自在に嵌め込んだことを特徴とする椅子。
【請求項３】
請求項１または２に記載の椅子において、
温熱パネルの少なくとも一方は表面をブラックシリカ石板として電熱ヒータを内蔵したことを特徴とする椅子。
【請求項４】
請求項３に記載の椅子において、
残りの温熱パネルは表面を畳表、レザー、布、檜板等の木板のいずれかにして電熱ヒータを内蔵したことを特徴とする椅子。
【考案の詳細な説明】
【技術分野】
【０００１】
本考案は、椅子に関し、詳しくは背もたれと座面に、遠赤外線を発生する着脱式の温熱パネルを取り付けた椅子に関する。
【背景技術】
【０００２】
従来から、遠赤外線を人体に照射すると、その照射部が温められて血流が促進されることが知られており、冷え性や血行障害の治療や健康増進のために用いられている。
一般に、遠赤外線の人体への作用効果としては、皮膚組織に吸収されやすく加温効果が高い（身体を芯から温める）。遠赤外線の人体に及ぼす効果には、皮膚温度上昇、血管の拡張、血液循環と体液循環の促進、組織-血液間および組織-組織間の新陳代謝の強化、組織再生力の増加、成長促進、知覚神経の異常興奮の抑制、自律神経の機能調整などがある。陽だまりや日なたぼっこの心地よさは、日光の遠赤外線の効果といえる。遠赤外線はファインセラミックス（アルミナ系、ジルコニウム系など）などの輻射体を加温することにより得られる。
【０００３】
遠赤外線による熱の深い透過性を利用して"ツボ"に照射すると顕著な効果が得られる。
従来、医療用に用いられてきた赤外線ランプやストーブは、放射される赤外線の８０％以上が近赤外線領域の光であり、人体に浸透しにくく局所的に低温やけどをおこしやすい。遠赤外線は体表面を均一に温める効果が高く、通常、表面からの汗ではあまり出てこない重金属類や難溶性のダイオキシン類などが汗とともに排泄されることも考えられる。
これは、汗が通常、汗腺から出てくるが、遠赤外線で温められた場合、皮脂腺からも汗が出てくるためと考えられる。ダイオキシン類は脂溶性であるため、皮脂腺から出てくる汗の中にダイオキシン類が溶解してくることは原理的には可能である。
そこで、汗腺と皮質線から老廃物、重金属、毒性物を排泄する新しい温熱治療器やサウナなどに応用されることが可能となる。
【０００４】
さらに、遠赤外線の他の効能として、ガンの治療、慢性心不全（温熱性血管拡張療法）、慢性腎不全の発汗療法、遠赤外線全身浴による発汗療法、小児性アトピー性皮膚炎に対する高温遠赤外線・紫外線照射治療、アトピー性皮膚患者の遠赤外線治療、抜歯後の下唇・頤部の知覚神経麻痺に対する遠赤外線照射療法、運動器疾患における遠赤外線療法、慢性腰痛疾患に対する遠赤外線照射、慢性関節リウマチ患者に対する遠赤外線療法、温熱療法による疼痛緩和、自律神経系の鎮静効果、鍼灸治療における遠赤外線照射、遠赤外線マットによる蓐瘡治療、デトックス（毒抜き健康法、遠赤外線ドーム型サウナ）、足温器、下着・遠赤外線腹巻、遠赤外線寝具・シーツ等、ハイパーサーミア（遠赤外線を使った全身温熱療法）が知られている。
【０００５】
遠赤外線の具体的な使用形態としては、岩盤浴場の浴室に、遠赤外線を発生するブラックシリカ等からなる石板を敷設することが行われている。
また、簡易な、遠赤外線の利用方法として、特許文献１の「椅子及びサウナ室」がある。これは、何ら大がかりな施設をともなわず、一般家庭においても遠赤外線による温熱効果を極めて手軽に且つ安全に享受することを目的としたものである。
すなわち、その椅子は、遠赤外線を放出する桐製の座面及び背もたれを形成する座体と、この座体の内部に設けられた断熱材と、座体の内部であって少なくとも座面及び背もたれを形成する領域にわたって設けられた遠赤外線を放出する発熱シートとを備える。
この椅子は、遠赤外線を放出する桐を主要素材とし、少なくとも座面及び背もたれが、遠赤外線を放出する発熱シートによって発熱することから、何ら大がかりな施設をともなわず、一般家庭においても遠赤外線による温熱効果を極めて手軽に且つ安全に享受することができる。
なお、特許文献１の椅子以外にも、背もたれ部と座面部に発熱体を備えた椅子として、特許文献２〜５の椅子がある。
【０００６】
【特許文献１】特開２００６−１２２４２３号公報
【特許文献２】特開２００１−０７００９２号公報
【特許文献３】特開平１１−３３２９４９号公報
【特許文献４】特開平０８−２０５９６４号公報
【特許文献５】特開平０７−０９５９１５号公報
【考案の開示】
【考案が解決しようとする課題】
【０００７】
しかしながら、上述した特許文献１の椅子は、遠赤外線の発生源として、桐材を用いているが、桐材の場合は、汚れ、磨耗等のために耐用年数が長くないという問題がある。
また、背もたれ、座面における遠赤外線の効果を高めるため、使用者は裸身で使用する場合が多く、衛生面の上からは、発汗により、濡れ、汚れが生じる背もたれ、座面の部分が交換可能であることが好ましい。
そこで、本考案は、発熱して遠赤外線を発生する温熱パネルを、背もたれ、座面に着脱自在に取り付け可能にした椅子を提案することを目的とした。
【課題を解決するための手段】
【０００８】
上記課題を解決するために、本考案は、背もたれと座面に発熱体を備えた椅子において、背もたれと座面に、同一サイズの２枚の温熱パネルをそれぞれ着脱自在にかつ互いに交換自在に装着する。
ここで、背もたれへの温熱パネルの取り付け構造は背もたれ部の上下に対向して形成した凹溝内に温熱パネルを倹飩式に嵌め込み、座面への温熱パネルの取り付け構造は座面に形成した凹部へ温熱パネルを着脱自在に嵌め込むことが好ましい。
また、温熱パネルの少なくとも一方は表面をブラックシリカ石板として電熱ヒータを内蔵する。
さらに、残りの温熱パネルは表面を畳表、レザー、布、檜板等の木板のいずれかにして電熱ヒータを内蔵することも可能である。
【考案の効果】
【０００９】
以上述べた本考案によれば、背もたれと座面に、同一サイズの２枚の温熱パネルをそれぞれ着脱自在にかつ互いに交換自在に装着することにより、発汗により温熱パネルが汚れても、交換、洗浄、乾燥が可能となり衛生的となる。
また、背もたれへの温熱パネルの取り付け構造は背もたれ部の上下に対向して形成した凹溝内に温熱パネルを倹飩式に嵌め込み、座面への温熱パネルの取り付け構造は座面に形成した凹部へ温熱パネルを嵌め込むことにより、温熱パネルの交換作業に専用の工具を必要とせずワンタッチで行える。
さらに、温熱パネルの少なくとも一方は表面をブラックシリカ石板としたことで、遠赤外線を発生する以外に、マイナスイオンも発生し、周囲の空気が清浄となる。また、残りの温熱パネルは表面を畳表や、檜板等の木板にすると、アロマセラピーもしくはアロマテラピーの効果も得られる。
【考案を実施するための最良の形態】
【００１０】
以下、図に基づいて本考案の実施形態を説明する。
図１〜図３は本考案に係る椅子の実施形態を示し、図１は正面図、図２は側面図、図３は平面図である。
これらの図において、１は背もたれであり、２は座面であり、３はひじ掛けであり、４は脚である。
背もたれ１には温熱パネル５が、座面２には温熱パネル６がそれぞれ着脱自在に取り付けられている。温熱パネル５，６は、正方形の形状をして互いに同一寸法であり、交換が自在である。
なお、椅子の各部の材質は檜材である。
【００１１】
背もたれ１への温熱パネル５の取り付け部は、図４の縦断面図に示されるように、背もたれ１の上下の横木７，８の対向する内側部分に形成された凹溝１０，１１内に、温熱パネル５の上端と下端が倹飩式により着脱自在に嵌め込まれる。
座面２への温熱パネル６の取り付け部は、図３に示されるように、座面２に温熱パネル６の厚みと略同一深さの凹部１２が形成されており、その凹部１２内に温熱パネル６が着脱自在に嵌め込まれる。
凹部１２の枠部内周の４辺の中央には、それぞれ窪み１３が形成され、その窪み１３に手を挿入することにより温熱パネル６を把持して着脱を行うことを可能にしている。
また、その窪み１３の右の部分からは、温熱パネル６の電源コード１４が引き出されている。
【００１２】
なお、上述した電源コード１４には、温度調節のために、温熱パネル６に内蔵される電熱ヒータへの電源をオン・オフする手元スイッチや、電熱ヒータへの供給電力を連続的に調節するコントローラを備えることも可能である。
【００１３】
次に、温熱パネル５の構造について説明する。
図５は温熱パネル５の平面図であり、図６は図５の縦断面図である。これらの図において、１６は額縁状の木枠であり、上面内側の貫通部に遠赤外線を発生するブラックシリカ石板１７が嵌合されている。
ブラックシリカ石板１７の下側には、上部を有孔合板とし下部を銅板としてそれらを接着した積層構造の伝熱層１８を介して、電熱ヒータであるパネルヒータ１９が配設されている。
【００１４】
パネルヒータ１９は、１０２℃で作動する温度ヒューズを内蔵するとともに、サーモスタットを備え５０℃でオフとなり４０℃でオンとなる。
なお、伝熱層１８の上部銅板とブラックシリカ石板１７とは、接着剤により固着され、木枠１６からブラックシリカ石板１７が脱落しないようにしている。
また、木枠１６の側面部分には、パネルヒータ１９の電源コード１４を引き出すための孔が形成されている。
【００１５】
パネルヒータ１９の下側には、ウレタンフォームや発泡スチロール等の断熱材からなる断熱層２０を介して、底板２１を配設している。
これら伝熱層１８、パネルヒータ１９、断熱層２０および底板２１の木枠１６への固定は、底板２１の下面の外周寄りの縁部から木ねじにより、木枠１６に螺着している。
また、木ねじを用いないで各層を全て接着剤で固着することも可能である。
なお、上述した伝熱層１８における銅板は厚さ１ｍｍ、有孔合板は厚さ２〜３ｍｍとした。
また、有孔合板には、径５ｍｍの透孔がピッチ２５ｍｍで形成されているものを用いた。
木枠１６および底板２１はアロマセラピーもしくはアロマテラピーの効果を得るために檜材であることが好ましい。
【００１６】
次に、他の温熱パネルについて説明する。
上述した温熱パネル５は、遠赤外線を発生するブラックシリカ石板１７を発熱部に用いたが、発熱部の材質としては、芳香物質を発散して、アロマセラピーもしくはアロマテラピーの効果を発揮する藺草からなる畳表、檜板、杉板、欅板等を用いることができる。
また、単に発熱だけの機能として限定するなら、布張り、レザー張りの発熱体とすることも可能である。
【００１７】
図７は、発熱部に檜板を用い、その表面に藺草からなる畳表を覆った温熱パネル２３の断面図である。
図において、２４は額縁状の木枠であり、上面内側の貫通部に、檜板の上面に畳表を被覆した発熱体２５が配設されている。発熱体２５の下側には、有孔合板２６を介して、パネルヒータ２７が配設されている。
なお、発熱体２５と有孔合板２６とは、接着剤により固着され、木枠２４から発熱体２５が脱落しないようにしている。
【００１８】
パネルヒータ２７の下側には、発泡樹脂等の断熱材からなる断熱層２８を介して、底板２９を配設している。
これら有孔合板２６、パネルヒータ２７、断熱層２８および底板２９の木枠２４への固定は、底板２９の下面の外周寄りの縁部から木ねじにより、木枠２４に螺着している。また、木ねじを用いないで各層を全て接着剤で固着することも可能である。
【００１９】
なお、温熱パネル２３の発熱体の他の材質として、杉、欅等の芳香物質を多く発散する木板を用いることができる。
これらの木板を用いる場合は、表面を被覆しないで直接露出させることも可能である。また、被覆材の他の例として、布やレザーを用いることが可能である。
布やレザーを用いた場合、芯材に木板を用いないで、代わりに弾力性がありかつ比較的伝熱性がある発泡樹脂材を用いることも可能である。
【００２０】
また、畳表を用いる場合も、芯材に木板を用いないで、畳表を複数枚重ねて構成することもできる。
この場合は弾力が増すとともに、藺草の芳香物質が多く発散される効果がある。椅子の利用者は、上述した温熱パネル５，６，２３がいずれも同一寸法であるため、それらを適当に組み合わせて使用することができる。
また、温熱パネル５，６，２３が発汗等でよごれた場合は、取り外して、洗浄し、乾燥させた後、再び取り付けることができる。
【００２１】
図８は温熱パネルのさらに他の実施形態の構造を示す断面図である。
図において、温熱パネル３１は、額縁状の木枠３２の上面内側の貫通部に、ブラックシリカ、木板、布、畳、レザー等からなる発熱体３３が配設されている。
発熱体３３の下側には、銅板３４、熱源ヒータ３５、断熱材３６、アルミ板３７、底板３８が順に積層されている。
各部材の間は接着剤により互いに固着しても良いし、銅板３４、熱源ヒータ３５、断熱材３６、アルミ板３７、底板３８については、底板３８側から木ねじにより、木枠３２に螺着して保持しても良い。
【産業上の利用可能性】
【００２２】
本考案は、上述した腰掛けタイプの通常の椅子以外にも、座椅子にも適用可能である。
また、ベンチにも適用可能であり、ベンチの場合は、複数の人が同時に利用することが可能となる。さらには、座面の下方に回転軸を設けて回転椅子とすることも可能である。
【図面の簡単な説明】
【００２３】
【図１】本考案の実施形態を示す正面図である。
【図２】本考案の実施形態を示す側面図である。
【図３】本考案の実施形態を示す平面図である。
【図４】本考案の実施形態の背もたれ部の構造を示す縦断面図である。
【図５】本考案の実施形態の温熱パネルを示す平面図である。
【図６】図５の断面図である。
【図７】温熱パネルの他の実施形態を示す断面図である。
【図８】温熱パネルの他の実施形態を示す断面図である。
【符号の説明】
【００２４】
１  背もたれ
２  座面
３  ひじ掛け
４  脚
５，６  温熱パネル
７，８  横木
１０，１１  凹溝
１２  凹部
１３  窪み
１４  電源コード
１６  木枠
１７  ブラックシリカ石板
１８  伝熱層
１９  パネルヒータ
２０  断熱層
２１  底板  
２３  温熱パネル
２４  木枠
２５  発熱体
２６  有孔合板
２７  パネルヒータ
２８  断熱層
２９  底板
３１  温熱パネル
３２  木枠
３３  発熱体
３４  銅板
３５  熱源ヒータ
３６  断熱材
３７  アルミ板
３８  底板
【図１】
0003138879.tif 000003
【図２】
0003138879.tif 000004
【図３】
0003138879.tif 000005
【図４】
0003138879.tif 000006
【図５】
0003138879.tif 000007
【図６】
0003138879.tif 000008
【図７】
0003138879.tif 000009
【図８】
0003138879.tif 000010